【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
カッティングプロッタであって、
シート媒体をＹ方向へ引き込むとともに前記シートを切断順に前記Ｙ方向に沿って前後移動させる給紙ローラと、
前記切断順にＸ方向へ往復運動する切断装置であって、上げ下げできる鋭角点を有し、前記給紙ローラと協働して、前記シートが前記切断順に給紙されている間に前記シートを所望の形状に切断し、前記切断装置の前記鋭角点が前記シートの下方の係止位置と前記シートの上方の非係止位置との間に移動可能であり、これにより前記切断順に対応して前記シートを前記所望の形状に切断することを可能にする、切断装置と、
前記切断装置の前記Ｘ方向下方に配置されるベースプレートであって、前記切断装置の下方に配置される前記ベースプレートが取り外し可能であり、複数のチャンネルを具備し、前記複数のチャンネルの各々のチャンネルが、前記切断装置のクロス加工方向の移動距離に等しいかまたはそれより大きい長さを有し、前記少なくとも１つのチャンネルの各々のチャンネルが、前記鋭角点が前記切断順に前記シートと係止するときに前記切断装置の前記鋭角点の一部を受容するように大きさが決定されかつ構成され、前記チャンネルが、前記切断順に前記シートが切断されている間に、前記鋭角点と前記ベースプレートとが接触しないようにクリアランスを作成し、前記複数のチャンネルのうちの少なくとも１つのチャンネルが、前記複数のチャンネルの他のチャンネルとは異なる形状を有する、ベースプレートと、
を含み、
前記鋭角点が前記少なくとも１つのチャンネルの一部に沿って側方に移動可能である、
カッティングプロッタ。
【請求項２】
請求項１に記載のカッティングプロッタであって、前記ベースプレートが、アルミニウム、またはスチール、またはプラスチック、または高密度ウレタンを含む、カッティングプロッタ。
【請求項３】
材料カッティングアセンブリであって、
カッティングヘッドであって、前記カッティングヘッド内に取り付けられたソレノイドおよびバネと、前記ソレノイドに着脱可能に固着されかつその先端に鋭角点を配設した切断工具であって、前記ソレノイドが通電されて前記鋭角点を切断のために配置されたシート媒体の下方に伸ばすときの係止位置と前記ソレノイドが通電されずに前記バネが前記鋭角点を前記シート媒体の上方に退避させて前記シート媒体を所望の形状に切断することを可能にするときの非係止位置との間を移動可能である、切断工具と、を含むカッティングヘッドと、
前記切断工具の下方に配置される長形ベースプレートであって、前記切断工具の下方に配置された前記長形ベースプレートが取り外し可能であり、複数のチャンネルを具備し、前記複数のチャンネルの各々のチャンネルが、前記切断装置のクロス加工方向の移動距離に等しいかまたはそれより大きい長さを有し、前記少なくとも１つのチャンネルの各々のチャンネルが、前記切断工具が前記係止位置にあるときに前記切断工具の前記鋭角点を受容するように大きさが決定されかつ構成され、前記チャンネルが、前記シート媒体が切断されている間に、前記鋭角点と前記ベースプレートとが接触しないようにクリアランスを作成し、前記複数のチャンネルのうちの少なくとも１つのチャンネルが、前記複数のチャンネルの他のチャンネルとは異なる形状を有する、長形ベースプレートと、
を含み、
前記切断工具が前記チャンネルの一部に沿って側方に移動可能である、
材料カッティングアセンブリ。
【請求項４】
請求項３に記載の材料カッティングアセンブリであってさらにシャーシに連結され前記シャーシに相対して往復運動するキャリッジを含み、
前記カッティングヘッドが前記キャリッジに取り付けられる、材料カッティングアセンブリ。
【請求項５】
請求項４に記載の材料カッティングアセンブリであってさらに前記シート媒体をカッティングプロッタに引き込むとともに前記シート媒体を切断順に前後移動させる給紙ローラ、を含み、
前記給紙ローラが前記キャリッジと協働して、前記シートを前記切断順に前記所望の形状に切断する、材料カッティングアセンブリ。
【請求項６】
請求項３に記載の材料カッティングアセンブリであって、前記複数のチャンネルの各々のチャンネルが、前記切断工具の前記先端と前記ベースプレートとの間にクリアランスを作成する、材料カッティングアセンブリ。
【請求項７】
請求項３に記載の材料カッティングアセンブリであって、前記ベースプレートが、アルミニウム、またはスチール、またはプラスチック、または高密度ウレタンを含む、材料カッティングアセンブリ。
【請求項８】
シート媒体を切開するための装置であって、
シャーシと、
モータと、
前記シャーシに連結されかつ前記モータによって駆動されて前記シャーシに相対して往復運動するキャリッジと、
前記キャリッジに連結された切断装置であって、上げ下げできる鋭角点を有する機械的切開構造を含み、前記機械的切開構造を、前記切開構造が前記シート媒体に係止し前記鋭角点が前記シートの下方にある係止位置と、前記切開構造が前記シート媒体に係止せず前記鋭角点が前記シートの上方にある非係止位置と、の間に移動させる、切断装置と、
前記キャリッジの下方に配置される長形ベースプレートであって、前記切断装置の下方に配置される前記長形ベースプレートが取り外し可能であり、複数のチャンネルを具備し、前記複数のチャンネルの各々のチャンネルが、前記切断装置のクロス加工方向の移動距離に等しいかまたはそれより大きい長さを有し、前記少なくとも１つのチャンネルの各々のチャンネルが、前記機械的切開構造が前記係止位置にあるときに前記機械的切開構造の前記鋭角点の一部を受容するように大きさが決定されかつ構成され、前記チャンネルが、前記シート媒体が切断されている間に、前記鋭角点と前記ベースプレートとが接触しないようにクリアランスを作成し、前記複数のチャンネルのうちの少なくとも１つのチャンネルが、前記複数のチャンネルの他のチャンネルとは異なる形状を有する、長形ベースプレートと、
を含み、
前記機械的切開構造が前記チャンネルの一部に沿って側方に移動可能である、
シート媒体切開装置。
【請求項９】
請求項８に記載の装置であって、
前記切断装置がさらに前記切断装置内に取り付けられたソレノイドおよびバネを有し、
前記機械的切開構造が前記ソレノイドに着脱可能に固着され、
前記機械的切開構造が、前記ソレノイドが通電されて前記機械的切開構造を伸ばすときに、前記係止位置に移動し、
前記機械的切開構造が、前記ソレノイドが通電されずに前記バネが前記機械的切開構造を退避させるときに、前記非係止位置に移動する、シート媒体切開装置。
【請求項１０】
請求項８に記載の装置であってさらにシート媒体を前記装置に引き込むとともに前記シートを切断順に前後移動させる給紙ローラ、を含み、
前記給紙ローラが前記キャリッジと協働して、前記シートを前記切断順に所望の形状に切断する、シート媒体切開装置。
【請求項１１】
請求項８に記載の装置であって、前記ベースプレートが、アルミニウム、またはスチール、またはプラスチック、または高密度ウレタンを含む、シート媒体切開装置。
【手続補正２】
【補正対象書類名】明細書
【補正対象項目名】発明の名称
【補正方法】変更
【補正の内容】
【発明の名称】カッティングプロッタ、カッティングアセンブリ、シート媒体切開装置